(57)【特許請求の範囲】
【請求項１】
１枚の紙を裁断して、前側部、後側部、箱体容器の厚さとなる左右両側面部と、上記各部の開放端縁のうちの一個所以上に一体に突出形成された舌片とを備え、これら構成各部を折り立てて箱体形状に組み立てると共に、組み立て状態における箱体容器の後側部又は前側部の一方の面の中央部所定個所には分割される複数容器のうちの一方の分割開口部の一部を塞いで収容された包装商品の脱落を防止するために箱体容器内に折り込むことにより該箱体容器に開口部が形成されるようにした舌状の仕切り片が設けられ、該仕切り片の基端部を除く外周全体に直線的に形成された一本又は所定の間隔を置いて複数本のミシン目線により所定の複数部分に分割可能に構成された包装容器であって、
上記仕切り片はその基端部を除いて上方に向けて外周部に舌状に切り込みを入れて折曲自在に形成され、箱体容器における該仕切り片の対向面の上記ミシン目線より下方位置には上記仕切り片の折曲先端部を挿通するために穿設されたスリットが設けられてなることを特徴とする分割可能な包装容器。
【請求項２】
前記箱体容器は透明樹脂フィルムからなる外装袋に収容され、該フィルム外装袋には、前記箱体容器の外周に刻設されたミシン目線に対応合致する位置に、同様のミシン目線を該外装袋の外周を一周するように形成されてなることを特徴とする請求項１記載の分割可能な包装容器。
【請求項３】
前記包装容器はストッキング用の包装容器であり、前記ミシン目線により上下に２分割可能に構成され、上部容器内には台紙に巻回したストッキングが収容され、下部容器内には俵巻きされてフィルムにより個装された一又は複数のストッキングが収容されてなる請求項１又は２記載の分割可能な包装容器。
【請求項４】
前記包装容器はストッキング用の包装容器であって、上下に所定の間隔を置いて刻設された２本の直線的なミシン目線により上下に３分割可能に構成され、上段部及び中段部の分割容器の中央部には上記２本のミシン目線位置を基端部とする箱体容器内に折り込むことにより該箱体容器に開口部が形成されるようにした舌状の仕切り片がそれぞれ設けられ、上段部容器内には台紙に巻回したストッキングが収容され、中段部及び下段部容器内にはそれぞれ俵巻きされてフィルムにより個装された一又は複数のストッキングが収容されてなる請求項１又は２記載の分割可能な包装容器。
【発明の詳細な説明】
【技術分野】
【０００１】
本発明は、陳列販売のために２足以上の複数足（多足組）のストッキング等の商品を分割収容するのに好適な小型の紙製箱体容器であって、わずかな力で所定個所を手で折り割って分割することができる包装容器、さらに詳しくは、容器自体を所望の利用商品部分と事後に使用する商品部分とに分割できるのみならず、分割されて残った事後利用商品部分の紙製容器には商品脱落防止手段が設けられていて、携帯保持用の容器として利用することができるようにした複数に分割可能な包装容器に関するものである。
【背景技術】
【０００２】
例えば、折り目線を介して連設された天板部、後側部、左右両側板部とこれら各板部の端縁に突出形成された舌片を折り立てて箱体形状に組み立て構成する紙製の包装容器は、必要な構成部材を一枚の台紙から一体に打ち抜いて製作することができると共に、容器の組み立て作業も商品の収容包装作業も簡便であるため、古くから利用されており、さらに、この種箱体容器の側部外周を一周するように２本の細い平行な帯状の破断線や弱化線を形成しておき、これら破断線や弱化線の部分を切り裂きもしくは引き裂いて、箱体容器を上下に分割することができる包装容器も、商品収容包装時の容器強度を保持しながら、簡単に容器を分割開披して商品を取り出すことができるので、多数個の缶飲料やドリンク瓶、レトルト食品等を収容した外装容器など、各種商品の外装容器、包装容器として既に広く用いられている。
【０００３】
しかし、従来の上下に分割できる紙製箱体容器は、比較的体積が大きく、段ボール紙や比較的厚手の板紙が用いられ、単一商品を多数収容し、いったん容器を上下分割し開披して収容物を取り出してから、容器全体を廃棄するか、あるいは、例えば分割した下側部分を商品陳列用トレーとして利用する等の方法しかなかった。
【先行技術文献】
【特許文献】
【０００４】
【特許文献１】特開２００１−３１０６９号公報
【特許文献２】特開２０００−１５３８２９号公報
【発明の概要】
【発明が解決しようとする課題】
【０００５】
本発明は、構成部分を折立てて箱体形状に組み立てると共に、組み立て状態における箱体側面の中間部外周に形成されたミシン目線により複数部分に分割できるよう構成された紙製容器を用い、初めに利用する商品と事後に利用もしくは交換利用に備える商品を容器内に分割して収容して包装すると共に、わずかな力で所定個所を手で折り割って分割することができるようにして、収容包装した商品収容容器を所望の複数部分に分割できるだけに止まらず、事後利用商品や交換利用商品が収容包装された分割後の容器部分の分割開口部から商品が脱落することなく携帯保持容器として利用でき、さらには、容器の組み立てと商品包装の作業量とコストを低減すると共に、利用者の商品の取り出しを容易なものとした分割可能な紙製箱体形状の包装容器を提案するものである。
【課題を解決するための手段】
【０００６】
本発明に係る包装容器は、１枚の紙を裁断して、前側部、後側部、箱体容器の厚さとなる比較的細幅の左右両側面部と、上記各部の開放端縁のうちの一個所以上に一体に突出形成された舌片とを備え、これら構成各部を折り立てて箱体形状に組み立てると共に、組み立て状態における箱体側面の中間部所定個所の後記する舌状の仕切り片の基端部を除く外周に形成された一本又は所定の間隔を置いて複数本のミシン目線により所定の複数部分に分割可能に構成された包装容器であって、上記各板部のいずれかの面の適宜位置には分割された複数容器のうちの一方の分割開口部の一部を塞いで、収容された包装商品の脱落を防止するための上記舌状の仕切り片による仕切り手段が形成されていることを主要な特徴とする。
【０００７】
上記仕切り手段は、組立状態において対向する前側部及び後側部の一方面の一部にその基端部を除いて上方に向けて外周部に舌状に切り込みを入れて折曲自在に形成されてなる舌状の仕切り片を箱体容器内に折り込んで他方対向面の相応個所に穿設されたスリットに挿通するように構成したもので、この場合、前記ミシン目線は上記舌状仕切り片の基端部を基準位置として、該仕切り片の基端部を除く箱体容器の外周全体に形成すると共に、上記スリットは該仕切り片基端部の対向面位置に刻設されたミシン目線より下方位置に穿設するようにする。
【０００８】
なお、本発明の包装容器は、上下２個に分割するだけでなく、３個又はそれ以上に分割できるように構成してもよく、その場合には、それに応じて分割個所に前記したミシン目線を刻設する必要があり、同時にそれぞれに内側の商品の抜け出し脱落防止用の仕切り手段も形成する必要がある。
【０００９】
また、前記紙製の箱体容器を透明樹脂フィルムからなる外装袋に収容して本発明に係る分割可能な包装容器とすることができ、この場合、該外装フィルム袋には収容した箱体容器の外周に形成された１又は複数本の前記ミシン目線と対応合致する位置にミシン目線を容器外周を一周するように形成する。これにより、透明フイルムの外装袋ごとミシン目線に沿って箱体容器を手で折り割るようにして分割することができる。
【発明の効果】
【００１０】
以上のように、本発明の包装容器は、構成各部を折立てて箱体形状に組み立てると共に、組み立て状態における箱体の外周部に形成された一本又は複数本のミシン目線を利用し、この部分でわずかな力で手で折り割って、所望の複数部分に分割でき、上記容器本体を構成する各部のいずれかの面の適宜位置で分割されて残った１個以上の容器のうちの分割開口部を塞いで包装商品の脱落を防止する仕切り手段が設けられているので、上記構成の容器を用いて最初に利用する商品と事後に利用もしくは交換利用に備えるための商品を容器内に分割収容して包装すると共に、収容包装した商品の分割位置で容器を複数部分に分割するよう構成できるに止まらず、事後利用商品や交換利用商品が収容包装された分割後の容器部分の分割開口部から商品が抜け出したり脱落することがないから、分割して商品を使用して残った部分の商品収納容器は携帯保持用容器として利用することができる利点がある。
【００１１】
また、前記仕切り手段を、組立状態において対向する一組の面部自体の一方対向面に屈曲自在に形成された仕切り片と他方対向面に穿設されたスリットによって構成すれば、別部材からなる仕切り手段を付設もしくは貼着形成する必要がなく、しかも紙製箱体容器全体を透明樹脂フィルムの外装袋内に密着収容することにより、箱体容器の所定の２〜３個所をセロファンテープ等で仮止めし、あるいは箱体容器の紙質によっては、特に仮止めしなくても、容器形態を外装袋により確実に保形維持できるので、容器の組み立てと商品包装における糊着けやステイプル止めなどの繁雑な作業を不要とすることができる。
【００１２】
しかも、上記紙製箱体容器全体を透明樹脂フィルムの外装袋内に密着収容し、該外装フィルム袋には収容した箱体容器の外周に形成された１又は複数本の前記ミシン目線と対応合致する位置にミシン目線を容器外周を一周するように形成しておくことにより、透明フイルムの外装袋ごとミシン目線に沿って箱体容器を手で簡単に折り割るようにして分割することができる効果がある。
【図面の簡単な説明】
【００１３】
【図１】本発明に係る分割可能な包装容器を構成する容器の一例を示す展開図である。（実施例１）
【図２】本発明に係る分割可能な包装容器を収納した透明樹脂フィルム製の外装袋の一例を示す正面図である。（実施例１）
【図３】本発明に係る分割可能な包装容器を構成する容器を折り立てる途中の状態と容器内に収容するストッキング（計３足のパンティストッキング）との関係を示す斜視図である。（実施例１）
【図４】本発明に係る分割可能な包装容器を外装袋内に収容した包装状態の一例を示す正面図である。（実施例１）
【図５】本発明に係る分割可能な包装容器の分割状態の一例を示す斜視図である。（実施例１）
【図６】本発明に係る分割可能な包装容器の分割後の状態の使用方法の一例を示す斜視図である。（実施例１）
【図７】本発明に係る分割可能な包装容器内に２種類のストッキングを計５足を収容した容器の他の例を示す斜視図である。（実施例２）
【図８】図７に示す包装容器を用いた包装状態を示す正面図である。（実施例２）
【発明を実施するための形態】
【実施例１】
【００１４】
以下、本発明に係る分割可能な包装容器の一実施例を、包装内容物としてストッキングを例にして、図１〜６により説明する。
【００１５】
本実施例に係る分割包装容器には、最初に使用する商品と事後利用もしくは交換利用に備えて携帯保持すべき商品とを分割収容して包装すると共に、収容包装商品の分割位置に対応する位置の箱体容器外周に形成されたミシン目線により分割するよう構成された容器１と、該容器１を商品の包装状態で密着して収容することができる透明樹脂フィルム製の外装袋２とからなっており、箱体の容器１の構成は下記の通りである。
【００１６】
すなわち、図１の展開図に示す通り、容器１は、例えば厚紙コート紙のような適厚の台紙を裁断して得られる比較的腰の強い一枚の紙材に構成部材の全てが形成されてなるもので、縦長長方形状の箱体容器の正面となる前側部１１の左辺部に箱体容器の厚さ分に等しい幅の２本の折り目線２０ａ、２０ｂを介して第１側面部１２並びに容器背面となる後側部１３が一連に連設されてなると共に、前側部１１の右辺部にも折り目線２０ｃを介して箱体容器の厚さ分に等しい幅の第２側面部１４が連設され、前側部１１の上下辺部と第２側面部１４の右辺部下方には折り目線２０ｄ、２０ｅ、２０ｆを介して舌片１５ａ、１５ｂ、１５ｃが一体に延設されており、前側部１１と後側部１３、および第１側面部１２と第２側面部１４はそれぞれ相互に同形に形成されている。
【００１７】
容器１の後側部１３の略中央下部位置には、基端部を除く外周部が略台形をなす舌片状の切り込みを入れた仕切り片１６が形成され、該仕切り片１６の基端部を基準位置としかつ該仕切り片１６の基端部を除き水平方向に前記各部１１、１２、１３、１４の全体にわたってミシン目線１８が刻設されており、前側部１１に形成されたミシン目線１８のやや下方位置にはスリット１７が水平方向に穿設されている。また、この仕切り片１６はミシン目線１８の延長線上で裏面側に向けて起立させ、更にその上方の所定間隔を置いて水平に形成された２本の折り目線２０ｇ、２０ｈで下方へ折曲できるようになっている。
【００１８】
上記ミシン目線１８は、容器１内に収容包装する商品の分割収容位置を画すると共に、容器１を該ミシン目線１８位置において分割するためのものであり、また、後側部１３に形成された舌片状の仕切り片１６は、容器１の分割後に対向する前側部１１に穿設された上記スリット１７方向に向けて屈曲させ、該スリット１７内に挿通係止するためのものであるが、これらの詳細については、後述する容器１の組み立て包装とその後の分割についての説明で述べることとする。
【００１９】
本実施例に係る分割可能な包装容器を構成する他方の部材である外装袋２は、図２に示す如く、商品を包装した箱体容器１を密着収容する体積を有する袋体であり、収容した箱体容器１の外周に刻設されたミシン目線１８と対応合致する上下位置の全周にわたってミシン目線２８が形成されており、また商品を包装した容器１を緊密に収容し、外部から商品を視認容易とすることが望ましいので、例えばポリプロピレンの透明樹脂フィルムを素材として用いると共に、商品を包装した容器１の外形と同形の内形を有する扁平な袋体として容器１を包皮収容するよう構成されている。
【００２０】
本実施例の分割可能な包装容器の構成部材となる紙製箱体容器１及び透明樹脂フィルム製外装袋２は以上の通りであるから、容器１の前側部１１，第１側面部１２，後側部１３，第２側面部１４と舌片１５ａ、１５ｂ、１５ｃをそれぞれの折り目線２０に沿って図１における紙材の上面側に折り立てる（実際は、図１は商標や商品説明等の印刷を施した表面を表示しているので、裏面側に向けて折り立てる）ことで、商品を分割収容して包装するための空間を有する箱体形状の容器１を組み立て形成することができ、さらに、分割収容商品を包装した状態の容器１外周部を樹脂フィルム材で包皮して袋体に形成し、あるいは上下開口状態の外装袋２内に商品包装状態の容器１を封入し外装袋２の上下開口を圧着閉止するなどの方法によって、本実施例に係る分割可能な包装容器を簡便に得ることができる（図２〜４参照）。
【００２１】
図面に基づいて更に詳しく説明すると、図３では、箱型容器１に分割収容して包装すべき商品のうち、初めに利用する商品として厚紙台紙に巻装された１足のパンティーストッキングＰＳを、また、事後利用に備える商品としてそれぞれ俵巻きされてフィルム包装された２足のパンティーストッキングＰＳの計３足のパンティーストッキングＰＳを例として図示しており（なお、これを１足のパンティーストッキングＰＳと２足のショートストッキングＳＳの３足の組合せ、あるいは２〜４足のショートストッキングＳＳのみの組合せであっても差支えない）、図３に示す通り、前側部１１、第１側面部１２、後側部１３を折り立てて形成された箱体容器１の収容空間のうち、容器１外周に刻設されたミシン目線１８で画される上部空間には初めに利用する商品である台紙に巻装された１足のパンティーストッキングＰＳを収容し、またミシン目線１８より下部空間には事後利用に備える俵巻きされた２足のパンティーストッキングＰＳを上下に収容し、第２側面部１４、各舌片１５ａ、１５ｂ、１５ｃを折り立てて箱体形状に組み立て包装した後、フィルム外装袋２に収容して、図４に示すような商品包装状態の分割可能な包装容器とする。
【００２２】
ここで、本実施例では、複数足のストッキング包装状態の箱体容器１を外装袋２が密着するようにして収容しており、箱体容器の紙質によっては、あえて粘着セロファンテープ等で仮止めしなくても、容器１の箱体形状は外装袋２によって効果的に保形維持されているから、この種一般の箱体容器に比べて容器１の舌片１５の数を減らし、糊代や綴じ代を省略することが可能な上、容器１の折り立て組み立て時や商品包装時に煩わしい作業となっていた糊止めやステイプル止めが不要となり、作業性と経済性が大きく向上し、分割利用時の容器１からの商品の取り出しや、さらには利用後の容器廃棄も簡便なものとなる。
【００２３】
なお、図３では、容器１の後側部１３に形成された仕切り片１６をミシン目線１８の延長線で内側方向に直角に折り曲げてから、先端部を折り下げ、更に内側に向けて折り曲げた折り曲げ状態を示しているが、これは容器１分割後に仕切り片１６をスリット１７に挿通係止する一態様を事後の説明のため便宜的に描いたに止まり、本実施例では容器１の組み立てと商品の収容包装段階における仕切り片１６はその形成位置に起立した状態のまま保持されるように、仕切り片１６の先端部を直角に折り曲げて容器１内に挿入しておけばよい。
【００２４】
また、図３に示す通り、前記した容器１の後側部１３に形成された仕切り片１６を内側方向に折り曲げ起立させると、該仕切り片１６形成個所には仕切り片１６と同形状の開口部２１が形成されることとなり、この開口部２１から容器１内の商品を視認、確認することができ、さらに、容器１の側面外周部を構成する前側部１１及び後側部１３の面の適宜の位置に所望形状の窓部１９を打ち抜き開設し、容器１内部に収容された包装商品の全てを直接視認することができるようにすれば、例えば本実施例のように複数のパンティーストッキングＰＳやショートストッキングＳＳを収納包装する場合には、このような開口部２１や窓部１９は欠かせない商品選択手段となる。
【００２５】
次に、本実施例に係る分割可能な包装容器の分割利用の方法と状態について説明する。まず、本実施例に係る分割可能な包装容器にあっては、商品を収容包装した箱体容器１と該容器１を収容したフィルム外装袋２との対応位置には、それぞれ一本のミシン目線１８と２８が形成されているので（図４参照）、その上下部分を手でポキンと折り割り、あるいは軽く捻じるように引き回すだけで、箱体容器１とフィルム外装袋２を一体の状態のまま、上下に簡単に二分割することができる（図５参照）。
【００２６】
そして、まず初めに使用する商品として、２分割された上部の容器内に収容包装されて台紙に巻回された１足目のパンティーストッキングＰＳをその分割開口部から簡単に取り出すことができるのである（図５参照）。なお、図５では、明確には表示されていないが、舌状の仕切り片１６はあらかじめ仕切り部１６ａ部分を箱体内側に向けて直角に折曲し、更に折り目線２０ｇで内側に直角に折曲して先端部を箱体内に折り込み挿入してある。
【００２７】
ただし、このままの状態では、一応商品抜け出し防止のために、仕切り部１６ａ部分が箱体内側に向けて直角に折曲して仕切り部１６先端を箱体内に挿入してあるものの、分割されて残った下部容器の分割開口部から収容包装された２足のパンティーストッキングＰＳ（事後利用に備えて携帯すべき商品）が脱落してしまう恐れがある。
【００２８】
そこで、このため、ミシン目線２８より下方のフィルム外装袋２に囲まれて事後利用商品や交換商品を収容包装した下部容器の分割開口部を確実に塞いで商品脱落を防ぐ仕切り手段として、前記したように仕切り片１６とスリット１７があり、この仕切り片１６の容器１の左右両側面部１２、１４の幅と等しい幅を有する仕切り部１６ａをあらかじめ箱体内側に向けて折曲して起立状態にしておき、更に、その先方の折下げ部１６ｂ及びスリット挿通部１６ｃが折り目線２０ｇ、２０ｈを介して連設されている。
【００２９】
上記のスリット１７は、容器１の折り立て組み立て状態において仕切り片１６と対向する前側部１１に形成されたミシン目線１８より若干下側位置に穿設されており、仕切り片１６の先端に位置する挿通部１６ｃを圧挿できるような細幅であり、かつ該挿通部１６ｃを挿通するに足りる長さに形成されている（図１、図３、図６参照）。
【００３０】
そこで、箱体容器１を上記のようにして分割した後、ミシン目線２８より下方のフィルム外装袋２にくるまれて事後利用に備えて携帯すべき２足のパンティーストッキングＰＳを収容包装した下部容器は、いったん仕切り片１６を分割開口部から引き出し、仕切り片１６の仕切り部１６ａは折り曲げたまま、その先方を下部容器の内側から前側部１１に開設したスリット１７に挿通し、その先端部を下部容器とフィルム外装袋２との間に露呈させるようする（図６参照）。
【００３１】
なお、仕切り片１６の先端部に近い部分の折り目線２０ｈは、先端部１６ｃを更に若干内側に折り曲げることにより、スリット１７の内側から挿通して下部容器に密着しているフィルム外装袋２内に挿入するのに便ならしめるためのもので、必ずしもこの折り目線２０ｈは必要不可欠なものではない。
【００３２】
また、上記は、仕切り片１６先端部を下部容器の内側から外側に向けてスリット１７に挿通したが、下部フィルム外装袋２内の下部容器の外側から内側に向けてスリット１７に挿通するようにしてもよい。
【００３３】
このようにして、仕切り片１６の先端挿通部１６ｃをスリット１７に圧入挿通することにより、仕切り片１６はスリット１７からは簡単には抜け出さず、下部容器の分割開口部は仕切り部１６ａによって塞がれるので、収容包装商品の脱落が効果的に防止され、分割された下部容器を事後利用に備える２足のパンティーストッキングＰＳをバッグ内等に携帯保持することが可能となる。
【００３４】
また、携帯保持した下部容器から事後利用に備えたパンティーストッキングＰＳを取り出して利用する際も、スリット１７に挿通されて前側部１１表面側に露呈した仕切り片１６の挿通部１６ｃ先端を軽く引き抜くことにより、下部容器の分割開口部を簡単に開披できるので、何ら面倒なことはない。
【実施例２】
【００３５】
図７〜８に示す本実施例は、実施例１と同様の構成に係る分割可能な包装容器であるが、箱体容器１の外周部に所定の間隔を置いて２本のミシン目線を刻設しており、商品をミシン目線が画する上段部、中段部、下段部の３部分に分割して収容包装することができると共に、商品の収容分割位置において３分割できるよう構成したもので、この実施例も上記実施例１同様に、箱体容器１と該容器１を密着包装するフィルム外装袋２との対応位置に、それぞれ２本のミシン目線を刻設し、容易に上下３分割できるようになっている。
【００３６】
この実施例に係る分割可能な包装容器を構成する容器１の構成は、図７に示す通りであり、縦長長方形状の前側部１１の左辺部に折り目線を介して第１側面部１２並びに後側部１３が連設されると共に、前側部１１の右辺部に折り目線を介して第２側面部１４が連設され，前側部１１の下辺部と第２側面部１４の右辺部に折り目線を介して舌片１５ｂ、１５ｃが延設されており、前側部１１および後側部１３と第１側面部１２および第２側面部１４はそれぞれ相互に同形に形成されている。
【００３７】
そして、前側部１１の略上部の若干右側に寄った位置と後側部１３の略下部の若干左側に寄った位置には、基端部を残して外周に切り込みを入れた折曲自在の仕切り片１６、１６が起立状態に形成されていると共に、各仕切り片１６、１６の基端部を基準位置としかつ該仕切り片１６、１６の基端部を除く水平方向に箱体容器１の外周部を構成する部分１１、１２、１３、１４の全体にわたる２本のミシン目線１８、１８が所定の間隔を置いて刻設されており、前側部１１に刻設された２本のミシン目線１８、１８のそれぞれその若干下部位置にはスリット１７、１７が穿設されている。
【００３８】
この実施例に係る箱体容器１では、例えば、上下３個所の収容空間のうち、上部のミシン目線１８より上側の上段部空間には初めに利用する商品である台紙に巻回した１足のパンティーストッキングＰＳを、上下２本のミシン目線１８，１８の間に挟まれた中段部空間には事後利用もしくは交換利用のために各１足づつのパンティーストッキングＰＳとショートストッキングＳＳを、また下部のミシン目線１８より下側の下段部空間にも中段部空間と同様に各１足づつのパンティーストッキングＰＳとショートストッキングＳＳをそれぞれ収容する例を示しており、これにより上下３段に分割可能な包装容器としてある。
【００３９】
この実施例による分割可能な包装容器は、実施例１におけると同様の方法で、各ミシン目線１８、１８を利用して、容易にフィルム外装袋２ごと３分割することができ、また３分割した中段部容器及び下段部容器には、実施例１と同様構成の仕切り片１６とスリット１７とによる分割開口部からの商品脱落防止手段が設けられている。
【００４０】
なお、上記の実施例１および実施例２は、いずれも本発明の実施の一例を示すに止まるもので、例えば、容器に収容包装する商品の種類や内容、ミシン目線の数（容器の分割数）、箱体容器１を構成する前側部１１、第１側面部１２、後側部１３、及び第２側面部１４から延設される舌片１５の位置と数、窓部の有無やその形状及びその個数のなど、全くの任意に委ねられていることは言うまでもない。
【符号の説明】
【００４１】
１  箱体容器
２  透明樹脂フィルムの外装袋
１１  前側部
１２  第１側面部
１３  後側部
１４  第２側面部
１５  舌片
１６  舌状仕切り片
１６ａ  仕切り部
１６ｂ  折り曲げ部
１６ｃ  スリット挿通部
１７  スリット
１８  ミシン目線
１９  窓部
２０  折り目線
２１  開口部
２８  外装袋のミシン目線
ＰＳ  パンティーストッキング
ＳＳ  ショートストッキング
【図１】
0005477746.tif 000002
【図２】
0005477746.tif 000003
【図３】
0005477746.tif 000004
【図４】
0005477746.tif 000005
【図５】
0005477746.tif 000006
【図６】
0005477746.tif 000007
【図７】
0005477746.tif 000008
【図８】
0005477746.tif 000009